(57)【要約】【課題】充分な連結強度を有すると共に施工性に優れた壁パネルの連結構造を提供する。【解決手段】各壁パネル１ａ、１ｂが、側端部から背方に向けて突出する縁片部７と、縁片部７の後端部から内側方に向けて直角に突出する被係止片部８とからなる折り返し片６を備えている。ジョイナー２に前方に開口して前記両壁パネル１ａ、１ｂの折り返し片６が挿入される挿入溝１３が形成されている。挿入溝１３の両側の内面の夫々に、対応する折り返し片６の縁片部７と平行な面からなる被押圧部１８と、被押圧部１８に対して直角な面からなる係止部１９とが形成されている。各壁パネル１ａ、１ｂの被係止片部８が対応する係止部１９に係止されると共に縁片部７が対応する被押圧部１８に沿い、両壁パネル１ａ、１ｂの縁片部７の間に目地材２１が圧縮状態となるよう打ち込まれている。【選択図】図１
2011026902.tif 000002
【特許請求の範囲】
【請求項１】
ジョイナーを介して連結される各壁パネルが、側端部から背方に向けて突出する縁片部と、縁片部の後端部から内側方に向けて直角に突出する被係止片部とからなる折り返し片を備え、ジョイナーに前方に開口して前記両壁パネルの折り返し片が挿入される挿入溝が形成され、挿入溝の両側の内面の夫々に、対応する折り返し片の縁片部と平行な面からなる被押圧部と、被押圧部に対して直角な面からなる係止部とが形成され、各壁パネルの被係止片部が対応する係止部に係止されると共に縁片部が対応する被押圧部に沿い、両壁パネルの縁片部の間に目地材が圧縮状態となるよう打ち込まれ、この目地材により各壁パネルの縁片部が対応する被押圧部に押圧されていることを特徴とする壁パネルの連結構造。
【発明の詳細な説明】
【技術分野】
【０００１】
本発明はジョイナーを介して連結される壁パネルの連結構造に関する。
【背景技術】
【０００２】
従来より、浴室ユニットの壁を構成する壁パネル同士をジョイナーを介して連結する連結構造が知られており（例えば特許文献１）、この種の連結構造としては例えば図２に示すものが知られている。
【０００３】
図２に示す従来の壁パネルの連結構造では、各壁パネル１ａ、１ｂが、側端部から背方に向けて突出する縁片部７を備えている。ジョイナー２は、前方に開口する溝型に形成され、一片３０ａがビス３１により壁パネル１ａの縁片部７に取り付けられ、他片３０ｂはく字状に折曲されたばね片とされ、両片３０ａ、３０ｂの間には両壁パネル１ａ、１ｂの縁片部７が挿入されている。両縁片部７の間には圧縮状態となるよう目地材２１が打ち込まれ、該目地材２１により両縁片部７がジョイナー２の片３０ａ、３０ｂに押圧されている。
【０００４】
図２に示す連結構造では、壁パネル１ｂの縁片部７がビス３１によってジョイナー２に連結されておらず、縁片部７はジョイナー２に対して充分な固定がなされていない。このため特に壁パネル１ｂが前方に引っ張られたときに対する連結強度が充分ではなく、壁パネル１ｂに手摺りを設けることができない等の制限を受ける場合がある。
【０００５】
ここで、本発明者は、本発明に至る過程において図３に示す連結構造を想起した。この連結構造では、壁パネル１ｂが縁片部７の後縁から壁パネル１ｂの内側方に向けて直角に突出する被係止片部８を備え、ジョイナー２の対応する片３０ｂには折返部３２が形成されている。折返部３２には被係止片部８が係止され、このようにすることで両壁パネル１ａ、１ｂの連結強度を高めている。
【先行技術文献】
【特許文献】
【０００６】
【特許文献１】特開平０９−２８７２２２号公報
【発明の概要】
【発明が解決しようとする課題】
【０００７】
しかし、図２及び図３のいずれの従来例にあっても、ジョイナー２をビス３１により壁パネル１ａの縁片部７に固着する作業が必要であるため、施工に手間を要するという課題がある。
【０００８】
本発明は上記事情に鑑みてなされたものであって、充分な連結強度を有すると共に施工性に優れた壁パネルの連結構造を提供することを課題とする。
【課題を解決するための手段】
【０００９】
上記課題を解決するために本発明は以下の構成を有する。ジョイナー２を介して連結される各壁パネル１ａ、１ｂが、側端部から背方に向けて突出する縁片部７と、縁片部７の後端部から内側方に向けて直角に突出する被係止片部８とからなる折り返し片６を備えている。ジョイナー２に前方に開口して前記両壁パネル１ａ、１ｂの折り返し片６が挿入される挿入溝１３が形成されている。挿入溝１３の両側の内面の夫々に、対応する折り返し片６の縁片部７と平行な面からなる被押圧部１８と、被押圧部１８に対して直角な面からなる係止部１９とが形成されている。各壁パネル１ａ、１ｂの被係止片部８が対応する係止部１９に係止されると共に縁片部７が対応する被押圧部１８に沿い、両壁パネル１ａ、１ｂの縁片部７の間に目地材２１が圧縮状態となるよう打ち込まれている。この目地材２１により各壁パネル１ａ、１ｂの縁片部７が対応する被押圧部１８に押圧されている。
【００１０】
このように各壁パネル１ａ、１ｂの縁片部７から直角に突出した被係止片部８がこれと平行なジョイナー２の係止部１９に前方に移動不能に係止されるため、両壁パネル１ａ、１ｂの連結強度、特に壁パネル１ａ、１ｂの前方への引っ張りに対する強度を高めることができる。このため壁パネル１ａ、１ｂには支障なく手摺りを設ける等することができる。また、ジョイナー２はビス等を用いることなく係止により容易に壁パネル１ａ、１ｂに取り付けることができ、施工性が向上する。
【発明の効果】
【００１１】
本発明にあっては、壁パネルの連結強度を高めることができ、尚且つ、施工性を向上できる。
【図面の簡単な説明】
【００１２】
【図１】本発明の実施形態の一例を示す水平断面図である。
【図２】従来の壁パネルの連結構造の一例を示す水平断面図である。
【図３】従来の壁パネルの連結構造の他例を示す水平断面図である。
【発明を実施するための形態】
【００１３】
以下、添付図面に基づいて本発明の実施形態の一例につき説明する。図１に示す本例の壁パネルの連結構造では、壁パネル１ａ、１ｂの側端部同士がジョイナー２を介して連結されている。
【００１４】
両壁パネル１ａ、１ｂは、ユニットバスの壁として用いられ、平面視で一直線状になるよう隣接して立設されている。各壁パネル１ａ、１ｂは、前面部を構成する表面板３と、表面板３の室外側に臨む背面に取り付けられた芯材５とで構成されている。表面板３は例えば鋼板等からなり、芯材５は例えば石膏ボード等からなる。
【００１５】
各表面板３の連結側の側端部には折り返し片６が突設されている。各折り返し片６は、表面板３の側端部から背方に向けて突出する縁片部７と、縁片部７の後端部から壁パネル１ａ、１ｂの内側方に向けて直角に突出する被係止片部８とで構成されている。縁片部７は表面板３の側端部を背方に向けて直角に折曲することで形成され、さらにその後端部を折曲することで被係止片部８が形成される。
【００１６】
各壁パネル１ａ、１ｂの被係止片部８の先端は自由端であり、被係止片部８と前方に位置する表面板３の前面部９との間には、壁パネル１ａ、１ｂの内側方に向けて開口する嵌込溝１０が形成されている。
【００１７】
ジョイナー２は例えばアルミ製の押出形材等からなり、後片部１１と、後片部１１の両側端部から前側に向けて一体に突出した側片部１２とで構成されている。両側の側片部１２の間には、両壁パネル１ａ、１ｂの折り返し片６を挿入するための前方に開口する挿入溝１３が形成されている。
【００１８】
各側片部１２の前部は、この間に形成される挿入溝１３の前部の溝幅が前側程広がるよう外側に向けて屈曲されている。これによって壁パネル１ａ、１ｂの折り返し片６を挿入溝１３に容易に挿入できるようになっている。
【００１９】
また、これら各側片部１２の屈曲は、両壁パネル１ａ、１ｂの縁片部７のうち先に挿入溝１３に挿入される縁片部７（以下、特に他方の縁片部７と区別する場合は縁片部７ａと記載する）に対応する側片部１２（以下、特に他方の側片部１２と区別する場合は側片部１２ａと記載する）の屈曲開始位置が他方の側片部１２（以下、特に側片部１２ａと区別する場合は側片部１２ｂと記載する）の屈曲開始位置よりも前方に位置し、且つ、側片部１２ａの曲率半径が側片部１２ｂの曲率半径よりも小さくなるようになされている。これにより側片部１２ｂに対応する縁片部７（以下、特に縁片部７ａと区別する場合は縁片部７ｂと記載する）が挿入溝１３に容易に挿入できるようになっている。
【００２０】
ジョイナー２の後端部両側には外側方に向けて突出する突曲部１５が形成され、これにより挿入溝１３の後端部の両側には内側方に向かって開口する差込溝１６が形成されている。また、各差込溝１６の前方部には内側方に向かって突出する被嵌込部１７が形成されている。
【００２１】
挿入溝１３の後部両側の内面の夫々には、対応する折り返し片６の縁片部７と平行な面からなる被押圧部１８と、被押圧部１８と直角な面からなる係止部１９が形成されている。被押圧部１８の内側端部は弧状の曲面部２０を介して係止部１９の後端に滑らかに接続されており、前記曲面部２０を利用して各差込溝１６には対応する被係止片部８を容易に挿入できるようになっている。なお、各被押圧部１８の内側端部は直接係止部１９の後端に接続してもかまわない。
【００２２】
ジョイナー２を用いて両壁パネル１ａ、１ｂを連結するには、例えば以下のように行う。
【００２３】
まず、一方の壁パネル１ａの折り返し片６をジョイナー２の挿入溝１３に前方から挿入し、該折り返し片６の被係止片部８を対応する差込溝１６に挿入して係止部１９に係止すると共に、縁片部７ａを対応する被押圧部１８に沿わせる。これにより壁パネル１ａの嵌込溝１０に対応する被嵌込部１７が嵌め込まれ、また、側片部１２ａの前部が壁パネル１ａの表面板３の前面部９の後面に当接して、壁パネル１ａはジョイナー２に対して前後方向に移動不能な仮止め状態となる。
【００２４】
次に他方の壁パネル１ｂの折り返し片６を、縁片部７ａと側片部１２ｂの間に挿入し、該折り返し片６の被係止片部８を対応する差込溝１６に挿入して係止部１９に係止すると共に、縁片部７ｂを対応する被押圧部１８に沿わせる。これにより壁パネル１ｂの嵌込溝１０に、対応する被嵌込部１７が嵌め込まれ、また、側片部１２ｂの前部が壁パネル１ｂの表面板３の前面部９の後面に当接し、これにより壁パネル１ｂはジョイナー２に対して前後方向に移動できない仮止め状態となる。
【００２５】
次に両壁パネル１ａ、１ｂの縁片部７の間に前方から乾式で弾性変形可能な目地材２１を圧縮状態となるよう打ち込んでこの間をシールすると共に、該圧縮状態の目地材２１により各壁パネル１ａ、１ｂの縁片部７を対応する被押圧部１８に押圧する。これによって目地材２１と両側の側片部１２ａ、１２ｂの間に各壁パネル１ａ、１ｂの縁片部７が挟持され、両壁パネル１ａ、１ｂがジョイナー２で連結された連結状態となる。
【００２６】
以上説明した本例の壁パネルの連結構造にあっては、各壁パネル１ａ、１ｂの縁片部７から直角に突出した被係止片部８がこれと平行なジョイナー２の係止部１９に前方に移動不能に係止されるため、両壁パネル１ａ、１ｂの連結強度、特に壁パネル１ａ、１ｂの前方への引っ張りに対する強度を高めることができる。このため壁パネル１ａ、１ｂには支障なく手摺りを設ける等することができる。また、ジョイナー２はビス等を用いることなく係止により容易に壁パネル１ａ、１ｂに取り付けることができ、施工性が向上する。
【００２７】
なお、本例では一直線状に隣接する壁パネル１ａ、１ｂ同士をジョイナー２で連結した連結構造において本発明を適用したが、本発明は両壁パネル１ａ、１ｂが直角に隣接する連結構造にも適用可能である。また、本発明は浴室の壁以外の壁を構成する壁パネルの連結構造にも適用可能である。
【符号の説明】
【００２８】
１ａ  壁パネル
１ｂ  壁パネル
２  ジョイナー
６  折り返し片
７  縁片部
１３  挿入溝
１８  被押圧部
１９  係止部
２１  目地材
【図１】
2011026902.tif 000003
【図２】
2011026902.tif 000004
【図３】
2011026902.tif 000005